(57)【特許請求の範囲】
【請求項１】
通信システムにおけるユーザ側装置であって、
前記ユーザ側装置におけるアプリケーションモジュールのタイプフィールドに含まれるアプリケーションタイプ情報を取得して前記アプリケーションモジュールのアプリケーションタイプを確定し、異なるアプリケーションタイプが異なるネットワーキングモードに対応し、
ユーザが走行の過程に事故にあったときに道路支援が必要である場合、又は、複数のユーザが同一の交通手段で外出する時に互いに距離が近く、仮ネットワークを確立してゲームを行い、デジタル娯楽リソースを交換する場合に、前記ユーザ側装置の間の通信データが第三者の支援に基づいて伝送されるネットワーキングモードと、前記ユーザ側装置の間の通信データが第三者の支援に基づかずに伝送されるネットワーキングモードとのうち、前記アプリケーションモジュールのアプリケーションタイプに対応するネットワーキングモードに基づいて、他のユーザ側装置との通信ネットワークを確立して前記アプリケーションモジュールを使用する電気回路を備えるユーザ側装置。
【請求項２】
前記電気回路は、更に、前記アプリケーションモジュールのサービスシステムへ登録し、前記サービスシステムからユーザの唯一のメインアイデンティティを取得する請求項１に記載のユーザ側装置。
【請求項３】
前記電気回路は、更に、前記アプリケーションモジュールのサービスシステムにユーザアイデンティティを含む情報を提出してアイデンティティ認証標識を有する唯一のメインアイデンティティを取得する請求項２に記載のユーザ側装置。
【請求項４】
異なるアプリケーションタイプは異なるセキュリティニーズを有し、各アプリケーションタイプに対応するネットワーキングモードはそのセキュリティニーズに適する請求項１に記載のユーザ側装置。
【請求項５】
前記電気回路は、更に、前記アプリケーションモジュールのサービスシステムにユーザアイデンティティを含む情報を提出してアイデンティティ認証標識を有する唯一のメインアイデンティティを取得することにより、セキュリティニーズの高いアプリケーションモジュールを使用する請求項４に記載のユーザ側装置。
【請求項６】
前記電気回路は、更に、一つ又は複数のユーザ仮アイデンティティを生成してセキュリティニーズの低いアプリケーションモジュールに用いられる請求項４に記載のユーザ側装置。  
【請求項７】
異なるアプリケーションタイプは異なるやりとりデータ量ニーズを有し、各アプリケーションタイプに対応するネットワーキングモードはそのやりとりデータ量ニーズに適する請求項１に記載のユーザ側装置。
【請求項８】
前記電気回路は、ユーザ側装置の間の通信データが第三者の支援に基づかずに伝送されるネットワーキングモードにおいて、
アプリケーション名とユーザ側装置の位置情報を含むサービス要求を生成し、
予め決められた一つ又は一連のチャネルでネットワーキングブロードキャストシグナルを監視し、
ネットワーキングブロードキャストシグナルが監視されていない場合に、一つのアイドルチャネルを選択して前記サービス要求を含むネットワーキングブロードキャストシグナルを送信し、
ネットワーキングブロードキャストシグナルが監視されている場合に、監視されたネットワーキングブロードキャストシグナルに含まれるサービス要求と前記生成されたサービス要求とを比較し、
前記比較によりサービス要求が一致する場合に、ネットワーキング応答シグナルを送信し、
前記比較によりサービス要求が一致ではない場合に、一つのアイドルチャネルを選択して前記サービス要求を含むネットワーキングブロードキャストシグナルを送信し、
サービス要求の一致するネットワーキングブロードキャストシグナルもアイドルチャネルもない場合に、何れも一つが監視されるまで監視を続ける請求項１に記載のユーザ側装置。
【請求項９】
前記電気回路は、ユーザ側装置の間の通信データが第三者の支援に基づいて伝送されるネットワーキングモードにおいて、
ユーザ側装置の位置情報を含むサービス要求を生成し、
前記第三者へ当該サービス要求を含む要求シグナルを送信し、
前記第三者の当該要求シグナルに対する確認シグナルを受信し、
前記第三者を介して、前記確認シグナルを送信する他のユーザ側装置と通信する請求項１に記載のユーザ側装置。
【請求項１０】
通信システムにおけるネットワーク側装置であって、
アプリケーションモジュールを解析し、ユーザが走行の過程に事故にあったときに道路支援が必要である場合、又は、複数のユーザが同一の交通手段で外出する時に互いに距離が近く、仮ネットワークを確立してゲームを行い、デジタル娯楽リソースを交換する場合に、前記ユーザ側装置の間の通信データが第三者の支援に基づいて伝送されるネットワーキングモードと、前記ユーザ側装置の間の通信データが第三者の支援に基づかずに伝送されるネットワーキングモードとのうち、アプリケーションモジュールが適するネットワーキングモードに基づいて分類を行い、
アプリケーションモジュールにタイプフィールドを追加し、前記タイプフィールドに分類結果を示すアプリケーションモジュールのアプリケーションタイプを含ませる電気回路を備え、
他のユーザ側装置とネットワーキングを行うように前記アプリケーションモジュールがユーザ側装置に用いられ、異なるアプリケーションタイプは異なるネットワーキングモードに対応するネットワーク側装置。
【請求項１１】
前記電気回路は、更に、アプリケーションモジュールのセキュリティニーズを解析し、セキュリティニーズに基づいて当該アプリケーションモジュールに適するネットワーキングモードを確定して分類を行うように配置される請求項１０に記載のネットワーク側装置。
【請求項１２】
前記電気回路は、更に、ユーザアイデンティティ情報に基づいてユーザに対して認証を行い、前記ネットワーク側装置は認証されたユーザにセキュリティニーズの高いアプリケーションモジュールを提供する請求項１１に記載のネットワーク側装置。
【請求項１３】
前記電気回路は、更に、アプリケーションモジュールのやりとりデータ量ニーズを解析し、やりとりデータ量ニーズに基づいて当該アプリケーションモジュールに適するネットワーキングモードを確定して分類を行う請求項１０に記載のネットワーク側装置。
【請求項１４】
前記ネットワーキングモードは、ユーザ側装置の間の通信データが第三者の支援に基づいて伝送されるネットワーキングモードとユーザ側装置の間の通信データが第三者の支援に基づかずに伝送されるネットワーキングモードとを含む請求項１０に記載のネットワーク側装置。
【請求項１５】
ユーザ側装置の間の通信データが第三者の支援に基づいて伝送されるネットワーキングモードにおいて、前記電気回路は、更に、
第一のユーザ側装置から送信される、第一のユーザ側装置の位置情報を含むサービス要求を含む要求シグナルを受信し、
当該サービス要求を含むブロードキャストシグナルをブロードキャストし、
第二のユーザ側装置の前記ブロードキャストシグナルに対する確認シグナルを受信し、
第一のユーザ側装置へ確認シグナルを送信し、
第一のユーザ側装置と第二のユーザ側装置の間の通信を協調するように配置される請求項１０に記載のネットワーク側装置。
【請求項１６】
通信システムにおけるユーザ側装置のアプリケーションタイプ確定モジュールにより、前記ユーザ側装置におけるアプリケーションモジュールのタイプフィールドに含まれるアプリケーションタイプ情報を取得して前記アプリケーションモジュールのアプリケーションタイプを確定し、異なるアプリケーションタイプが異なるネットワーキングモードに対応し、
前記ユーザ側装置のネットワーキングモジュールにより、ユーザが走行の過程に事故にあったときに道路支援が必要である場合、又は、複数のユーザが同一の交通手段で外出する時に互いに距離が近く、仮ネットワークを確立してゲームを行い、デジタル娯楽リソースを交換する場合に、前記ユーザ側装置の間の通信データが第三者の支援に基づいて伝送されるネットワーキングモードと、前記ユーザ側装置の間の通信データが第三者の支援に基づかずに伝送されるネットワーキングモードとのうち、前記アプリケーションモジュールのアプリケーションタイプに対応するネットワーキングモードに基づいて、他のユーザ側装置との通信ネットワークを確立して前記アプリケーションモジュールを使用することを含む無線通信方法。
【発明の詳細な説明】
【技術分野】
【０００１】
本発明は一般的に無線通信分野に関し、具体的に、本発明は通信システムにおけるユーザ側装置とネットワーク側装置及び相応の無線通信方法に関する。
【背景技術】
【０００２】
最近、無線通信技術は発展されている。スマートフォンといったスマートデバイスがよく使用されている。スマートデバイスにおけるアプリケーション(application)、例えばアプリケーションソフト（App）により、人類の生活が便利になり、仕事の効率が向上された。しかし、従来技術においてアプリケーションを考慮してネット管理の技術案が少なく、無線リソースが無駄になり、使用が不便になる。
【発明の概要】
【発明が解決しようとする課題】
【０００３】
従来技術に存在の前記課題に関し、アプリケーションの特徴によってネット管理を行え、無線リソースを十分に利用し且つアプリケーションに最適の手段でネットワーキングを行える装置と方法が希望される。
【０００４】
以下は、本発明の一部の方面を基本的に理解させるために、本発明を概要に論述する。但し、この概略な論述は、本発明の包括的な論述ではなく、本発明の肝心な部分や重要の部分を確定するものではないとともに、本発明の範囲を限定するものでもなく、本発明の一部の概念を簡単化に表せるためだけであり、後続のさらに詳しい説明の前文に過ぎない。
【０００５】
本発明の目的は、従来技術における前記課題に対し、アプリケーションのタイプに基づいて好適なネットワーキングモードを選択できる装置と方法を提供することにある。
【課題を解決するための手段】
【０００６】
前記目的を達成するために、本発明の一つの局面によれば、通信システムにおけるユーザ側装置を提供した。当該ユーザ側装置は、前記ユーザ側装置におけるアプリケーションモジュールのタイプフィールドに含まれるアプリケーションタイプ情報を取得して前記アプリケーションモジュールのアプリケーションタイプを確定し、異なるアプリケーションタイプは異なるネットワーキングモードに対応するアプリケーションタイプ確定モジュールと、前記アプリケーションモジュールのアプリケーションタイプに対応するネットワーキングモードに基づいて、他のユーザ側装置との通信ネットワークを確立して前記アプリケーションモジュールを使用するネットワーキングモジュールとを備える。
【０００７】
本発明の他の局面によれば、通信システムにおけるネットワーク側装置を提供した。当該ネットワーク側装置は、アプリケーションモジュールを解析し、アプリケーションモジュールに適するネットワーキングモードに基づいて分類を行うアプリケーションモジュール分類モジュールと、アプリケーションモジュールにタイプフィールドを追加し、前記タイプフィールドに分類結果を示すアプリケーションモジュールのアプリケーションタイプを含ませるフィールド追加モジュールとを備え、他のユーザ側装置とネットワーキングを行うように前記アプリケーションモジュールがユーザ側装置に用いられ、異なるアプリケーションタイプは異なるネットワーキングモードに対応する。
【０００８】
本発明の他の局面によれば、無線通信方法を提供した。当該無線通信方法は、通信システムにおけるユーザ側装置のアプリケーションタイプ確定モジュールにより、前記ユーザ側装置におけるアプリケーションモジュールのタイプフィールドに含まれるアプリケーションタイプ情報を取得して前記アプリケーションモジュールのアプリケーションタイプを確定し、異なるアプリケーションタイプが異なるネットワーキングモードに対応し、前記ユーザ側装置のネットワーキングモジュールにより、前記アプリケーションモジュールのアプリケーションタイプに対応するネットワーキングモードに基づいて、他のユーザ側装置との通信ネットワークを確立して前記アプリケーションモジュールを使用することを含む。
【０００９】
本発明の他の局面によれば、無線通信方法を提供した。当該無線通信方法は、通信システムにおけるネットワーク側装置のアプリケーションモジュール分類モジュールにより、アプリケーションモジュールを解析し、アプリケーションモジュールに適するネットワーキングモードに基づいて分類を行い、前記ネットワーク側装置のフィールド追加モジュールにより、アプリケーションモジュールにタイプフィールドを追加し、前記タイプフィールドに分類結果を示すアプリケーションモジュールのアプリケーションタイプを含ませることを含み、他のユーザ側装置とネットワーキングを行うように前記アプリケーションモジュールがユーザ側装置に用いられ、異なるアプリケーションタイプが異なるネットワーキングモードに対応する。
【００１０】
また、本発明の他の局面によれば、記憶媒体を提供した。前記記憶媒体は機器で読取可能なプログラムコードを含み、情報処理デバイスで前記プログラムコードが実行される際に、前記プログラムコードで前記情報処理デバイスにより本発明による前記方法が実行される。
【００１１】
また、本発明の他の局面によれば、更にプログラム製品を提供した。前記プログラム製品は機器で実行可能な命令を含み、情報処理デバイスで前記命令が実行される際に、前記命令で前記情報処理デバイスにより本発明による前記方法が実行される。
【図面の簡単な説明】
【００１２】
以下に図面による本開示の実施例の説明により、本開示の以上及び他の目的、特徴とメリットを理解できる。図面における部品は、本開示の原理を示すにすぎない。図面においては、同一又は類似の技術特徴又は部品に対して同一又は類似の符号で示す。
【００１３】
【図１】図１は本発明の実施例による通信システムにおけるユーザ側装置のブロック図である。
【００１４】
【図２】図２は本発明の実施例による通信システムにおけるネットワーク側装置のブロック図である。
【００１５】
【図３】図３は本発明の実施例による無線通信方法のフローチャートである。
【００１６】
【図４】図４は本発明の実施例による無線通信方法のフローチャートである。
【００１７】
【図５】図５は登録と認証のフローチャートである。
【００１８】
【図６】図６は第三者の支援に基づかずに伝送するネットワーキングモードの例示図である。
【００１９】
【図７】図７は第三者の支援に基づいて伝送するネットワーキングモードの例示図である。
【００２０】
【図８】図８は本発明の実施例による方法と装置を実施できるコンピュータのブロック図である。
【発明を実施するための形態】
【００２１】
以下、図面を組み合わせて本発明の例示的な実施例を説明する。明瞭及び簡潔なために、明細書には、実際の実施形態の全ての特徴が記載されていない。但し、このような実際の実施例を開発する場合、開発者の具体的な目標を実現するために、実施形態によって条件、例えば、システム及サービスに関わる制限条件を決めなければならず、且つこれらの制限条件は実施形態によって変化する可能性がある。また、開発は非常に複雑で時間をかけるが、本発明の内容から益を得る当業者にとって、この開発は日常の仕事に過ぎない。
【００２２】
ここで、不必要な細かい点により本発明が混同されることを避けるために、図面において本発明の技術案に密接に関わる機器の構造及び／または処理のステップのみを示しており、本発明にあまり関係ない他の細かい点が省略された。更に、本発明における図面又は実施例に記載された部品や特徴は、一つ又は複数の他の図面や実施例に示された部品と特徴と組み合わせることができる。
【００２３】
本発明の基本的な構想は、通信システムにおけるユーザ側装置のアプリケーション又はアプリケーションに含まれるアプリケーションモジュールにタイプフィールドを追加することにより、アプリケーションモジュールのアプリケーションタイプ情報を示し、アプリケーションタイプ情報に基づいて好適なネットワーキングモードを選択することにある。タイプフィールドは、アプリケーションモジュールのアプリケーションタイプ情報を示すフィールドを含む。アプリケーションタイプは、第三者の支援に基づくネットワーキングモードを指示するタイプと第三者の支援に基づかないネットワーキングモードを指示するタイプを含むが、それらに限定されない。アプリケーションタイプ情報はアプリケーションタイプを示す。注意すべきなのは、本発明において、主としてアプリケーションモジュールを例示としてタイプフィールドを追加する対象を代表し、アプリケーションモジュールは、例えばアプリケーションソフトにおける特定の機能を有するアプリケーション部品であり、具体的に例えばリアルタイムの通信アプリケーションにおいて近隣のユーザを発見するためのモジュールである。理解できるように、例えばある単一の機能を有するアプリケーションについて、アプリケーション全体を単位として（即ちアプリケーションモジュールと見なす）以下に記載の方式に従ってタイプフィールドを追加することができる。ネットワーキングモードは、ユーザ側装置の間の通信データが第三者の支援に基づいて伝送されるネットワーキングモードとユーザ側装置の間の通信データが第三者の支援に基づかずに伝送されるネットワーキングモードとに分けることができる。
【００２４】
ユーザ側装置は、例示としてユーザデバイス、例えば移動ステーションである。具体的に、例えばスマートフォン、タブレットコンピュータ及びスマートグラスなどの携帯型スマートデバイスであり、又は例えばスマートカーなどのスマート交通手段である。第三者の例示は、基地局、インターネットにおけるネットサーバ、一部の基地局の機能を有するユーザノードのうちの何れか一つ又はこれらネットデバイスのセットである。本発明におけるアプリケーションモジュールが実装されるユーザ側装置は、例えば第三者の支援に基づく従来のセルラー通信ネットワーク及び例えば第三者の支援に基づかないＩＥＥＥ８０２．１１標準におけるアドホック通信ネットワーク、ＬＴＥ−Ａ標準におけるデバイスツーデバイス通信（Ｄ２Ｄ）を含む複数の異なるネットワーキングモードをサポートすることができる。本発明は、具体のアプリケーションモジュールにタイプフィールドを追加することにより、ユーザ側装置が当該アプリケーションモジュールに適するネットワーキングモードを速めに確定することを支援する。
【００２５】
具体的に、ユーザ側装置の間の通信データが第三者の支援に基づいて伝送されるネットワーキングモードは、例えば移動ステーションの間に基地局を介してデータ通信を行う必要がある。適用のアプリケーションは、例えば金融貿易、買物支払などである。ユーザ側装置の間の通信データが第三者の支援に基づかずに伝送されるネットワーキングモードは、例えばＬＴＥ−Ａ標準をサポートする移動ステーションの間のＤ２Ｄ通信である。適用のアプリケーションは、例えばオンラインゲーム、共有ビデオ、画像といったデータなどである。
【００２６】
本発明の発明者は、セキュリティ性が厳しく要求されている場合に、一般的に、買物後のオンライン支払いなどのようにユーザを認証する必要があるので、このようなユーザ側装置の間の通信データは、第三者の支援に基づいて伝送するネットワーキングモードに適すると考える。
【００２７】
また、本発明の発明者は、一般的に、やりとりするデータ量の大きい場合、例えばオンラインゲームなどの場合に、他のノードを介して転送されると、多いネットワークリソースを占有することになるので、このようなユーザ側装置の間の通信データは、第三者の支援に基づかずに伝送するネットワーキングモードに適すると更に考える。
【００２８】
実は、ユーザ側装置の間の通信データが第三者の支援に基づいて伝送されることに適するか否かは、あるアプリケーションにとって不変ではなく、アプリケーションにおけるアプリケーションモジュールによっては変更されることができる。セキュリティのニーズは、アプリケーションモジュールのセキュリティに対するニーズである。
【００２９】
例えば、二つのユーザの間に直接の通信及び従来の通信の両者を確立する客観的な条件が備えられる場合に、一つのアプリケーションにおける一方のアプリケーションモジュールが画像とテキストのみに関し、他のユーザから商品の紹介内容をダンロードしてユーザに表示すると、当該アプリケーションモジュールについてセキュリティに対するニーズが低く、第三者の支援に基づいて伝送する必要がなくタイプフィールド１（第三者の支援に基づかないネットワーキングモードを指示する）が添付され、本発明によればユーザ側装置は、当該アプリケーションモジュールを実行する時にタイプフィールド情報を読取り、タイプフィールドに基づいて第三者の支援に基づかないネットワーキングモードを採用して画像／テキストを伝送することを確定する。その一方、当該アプリケーションの他方のアプリケーションモジュールが商品の購入を決定して支払いするように金銭に関すると、当該アプリケーションモジュールについてセキュリティに対するニーズが高くてタイプフィールド２（第三者の支援に基づくネットワーキングモードを指示する）が添付され、本発明によれば、ユーザ側装置は当該アプリケーションモジュールを実行する時にタイプフィールド情報を読取り、タイプフィールドに応じて第三者の支援に基づいて通信データを伝送するネットワーキングモードを採用して銀行口座、パスワードなどの支払データを伝送することを確定する。
【００３０】
例えば、あるアプリケーションにおける一方のアプリケーションモジュールがオンラインゲームに関し、ゲーム内容が多いラジオとビデオに関すると、当該アプリケーションモジュールについてセキュリティに対するニーズが低いが、データ量に対するニーズが高くてタイプフィールド１が添付され、本発明によれば、ユーザ側装置は当該アプリケーションモジュールを実行する時にタイプフィールド情報を読取り、タイプフィールドに応じて第三者の支援に基づかない伝送を採用することを確定する。その一方、当該アプリケーションの他方のアプリケーションモジュールはゲームウィナーがゲームルーザーから金コインを得ることに関すると、当該アプリケーションモジュールについてセキュリティに対するニーズが高くてタイプフィールド２が添付され、一般的にユーザの登録、パスワードの伝送などの認証操作が必要あり、本発明によれば、ユーザ側装置は当該アプリケーションモジュールを実行する時にタイプフィールド情報を読取り、タイプフィールドに応じて第三者の支援に基づいて通信データを伝送することを確定する。
【００３１】
従来技術において、アプリケーションが第三者の支援に基づいて通信データを伝送するか否かは、一般的にアプリケーションのアプリケーションモジュールと関係なく、ユーザの操作に関係がある。例えば、ユーザがスマートフォンを使用する時に、どんなアプリケーションを使っても、ユーザによりシステムにおいて現在使用されるものにローカルエリアネットワーク伝送か、モバイル運営者に提供された無線通信ネットワークを設置し、或いはユーザによりブルートゥースモジュールを起動してあるユーザとの接続を確立する。これにより、セキュリティに対するニーズの高いアプリケーションモジュールに使用されるのは第三者の支援に基づかずにデータを伝送する、セキュリティが悪いネットワーキングモードであり、データ量に対するニーズの高いアプリケーションモジュールに使用されるのは第三者の支援に基づいてデータを伝送する、データの伝送能力が悪く、ネットワークに対する負荷が重いネットワーキングモードである場合がある。
【００３２】
従って、本発明の技術案において、通信システムにおけるユーザ側装置におけるアプリケーションに含まれるアプリケーションモジュール毎に一つのタイプフィールドを追加し、当該タイプフィールドはアプリケーションモジュールのアプリケーションタイプ情報を示す。このように、アプリケーションタイプ情報に基づいて好適なネットワーキングモードを選択することができる。現在に運行中のアプリケーションモジュールのタイプフィールドは第三者の支援に基づいてデータを伝送する／第三者の支援に基づかずにデータを伝送することを採用すべきことを示すと、タイプフィールドに示される方式に従ってネットワーキングを行う。
【００３３】
アプリケーションモジュールのタイプフィールドの設定は、例えばセキュリティニーズとやりとりデータ量ニーズのうち少なくとも一つを考慮してもよい。
【００３４】
具体的に、異なるアプリケーションタイプは異なるセキュリティニーズを有し、各アプリケーションタイプに対応するネットワーキングモードはそのセキュリティニーズに適する。
【００３５】
又は、異なるアプリケーションタイプは異なるやりとりデータ量ニーズを有し、各アプリケーションタイプに対応するネットワーキングモードはそのやりとりデータ量ニーズに適する。
【００３６】
以下、図１を参照して本発明の実施例による通信システムにおけるユーザ側装置のブロック図を説明する。
【００３７】
図１は、本発明の実施例による通信システムにおけるユーザ側装置のブロック図を示した。図１に示されるように、本発明による通信システムにおけるユーザ側装置１００は、前記ユーザ側装置におけるアプリケーションモジュールのタイプフィールドに含まれるアプリケーションタイプ情報を取得して前記アプリケーションモジュールのアプリケーションタイプを確定し、異なるアプリケーションタイプが異なるネットワーキングモードに対応するように配置されるアプリケーションタイプ確定モジュール１１と、前記アプリケーションモジュールのアプリケーションタイプに対応するネットワーキングモードに基づいて、他のユーザ側装置との通信ネットワークを確立して前記アプリケーションモジュールを使用するように配置されるネットワーキングモジュール１２とを備える。
【００３８】
通信システムにおけるユーザ側装置は、車、携帯電話、タブレットコンピュータ、スマートウェアラブルデバイスなどのユーザデバイス及び各ユーザデバイスにおける主な処理モジュール、例えばチップなどを含むが、それに限定されない。
【００３９】
ユーザ側装置におけるアプリケーションモジュールのアプリケーションタイプが予め決められてタイプフィールドに書き込まれても良い。当該操作は、ネットワーク側装置により実行され、後に説明する。
【００４０】
ユーザ側装置１００におけるアプリケーションタイプ確定モジュール１１は、アプリケーションモジュールのタイプフィールドからその中のアプリケーションタイプ情報を取得して、アプリケーションモジュールのアプリケーションタイプを確定する。
【００４１】
ネットワーキングモジュール１２は、アプリケーションタイプ確定モジュール１１の確定結果に従って、アプリケーションモジュールのアプリケーションタイプに対応するネットワーキングモードで他のユーザ側装置との通信ネットワークを確立してアプリケーションモジュールを使用する。
【００４２】
一つの実施例において、ユーザ側装置１００は、アプリケーションモジュールのサービスシステムへ登録して前記サービスシステムからユーザの唯一のメインアイデンティティを取得するように配置される登録モジュールを更に備える。
【００４３】
メインアイデンティティは例えばユーザＩＤなどの情報である。
【００４４】
本発明において、メインアイデンティティは、ユーザの重要なアイデンティティ情報であり、他のユーザと区別するために加えて、ユーザ自身の特徴、例えばユーザの実際のアイデンティティ、地理位置、興味、ユーザレベルなどに相関する。従って、本発明におけるメインアイデンティティは、セキュリティニーズの高いアプリケーションモジュールに用いられる。
【００４５】
一つの実施例において、ユーザ側装置１００は、一つ又は複数のユーザ仮アイデンティティを生成するように配置される仮アイデンティティモジュールを更に備える。ユーザ仮アイデンティティは、ユーザ自身の特徴と相関せず、主に他のユーザと区分するように用いられることにより、セキュリティニーズの低いアプリケーションモジュールに用いられても良い。
【００４６】
仮アイデンティティは、メインアイデンティティに対する一時的なアイデンティティである。セキュリティニーズが低い場合に、ユーザはメインアイデンティティの代わりに仮アイデンティティを利用することができる。このように、メインアイデンティティの少なくとも一部の情報（情報は、メインアイデンティティ名、ユーザの履歴統計情報、例えばゲームにおけるレベル、興味の情報などを含むが、それに限定されない）が隠され、情報の盗聴、ユーザのプライバシーの盗聴を避けることができる。仮アイデンティティは、仮ネットワークの存続周期内に存在することができ、特定の仮アイデンティティは、特定の仮ネットワークにおいて他のユーザが仮アイデンティティを使用するユーザを盗聴することを遮蔽することができる。例えば、他のユーザはユーザの仮アイデンティティに基づいて当該ユーザの地理位置や興味／レベルなどを確定することができない。本発明の一つの例示によれば、仮アイデンティティモジュールに生成される各仮アイデンティティは、特定の仮ネットワークのみに利用され、例えば仮アイデンティティモジュールは、ネットワーキングモジュール１２のネットワーキング操作に応答して当該ネットワークに用いられる仮アイデンティティを生成する一方、他のネットワーキングにおいて、他の仮アイデンティティを生成する。
【００４７】
仮ネットワークを構築する際に、ユーザは仮アイデンティティの使用を選択し、危害の可能性がある他者が当該ユーザの個人プライバシー情報を取得し追跡することを避けることができる。しかし、仮アイデンティティを採用することが必須ではない。本発明は、ユーザにメインアイデンティティの使用か、又は仮アイデンティティの使用を選択するチャンスを提供する。ユーザに仮アイデンティティの使用が選択されると、当該仮アイデンティティは、当該仮ネットワークの存続周期に存在し、仮ネットワークが終了する前に、ユーザにより当該仮アイデンティティを削除するか、又は当該仮アイデンティティを保留して今後のネットワーキングに使用することを選択することができる。ユーザにより当該仮アイデンティティの保留が選択されると、今後のネットワーキングの前に、ユーザによりサービス要求が生成される時に、ユーザに既存の仮アイデンティティをロードするか否かを提示する。一つの実施例において、ユーザ側装置１００は、アプリケーションモジュールのサービスシステムにユーザアイデンティティを含む情報を提出してアイデンティティ認証標識を有する唯一のメインアイデンティティを取得するように配置される認証モジュールを更に備える。
【００４８】
本発明において、アイデンティティ認証されたメインアイデンティティのセキュリティ性が高いので、セキュリティニーズの高いアプリケーションモジュールを使用することを考える。
【００４９】
一つの実施例において、ネットワーキングモジュール１２は、ユーザ側装置の間の通信データが第三者の支援に基づかずに伝送されるネットワーキングモードにおいて、アプリケーション名とユーザ側装置の位置情報を含むサービス要求を生成し、予め決められた一つ又は一連のチャネルにおいて、ネットワーキングブロードキャストシグナルを監視する。ネットワーキングブロードキャストシグナルが監視されていない場合に、一つのアイドルチャネルを選択して前記サービス要求を含むネットワーキングブロードキャストシグナルを送信する。ネットワーキングブロードキャストシグナルが監視された場合に、監視されたネットワーキングブロードキャストシグナルに含まれるサービス要求と前記生成されたサービス要求を比較し、前記比較によりサービス要求が一致の場合に、ネットワーキング応答シグナルを送信し、前記比較によりサービス要求が一致ではない場合に、一つのアイドルチャネルを選択して前記サービス要求を含むネットワーキングブロードキャストシグナルを送信し、サービス要求が一致のネットワーキングブロードキャストシグナルもアイドルチャネルもない場合に、そのうちの何れか一つが発見されるまで監視を継続する。
【００５０】
一つの実施例において、ネットワーキングモジュール１２は、ユーザ側装置の間の通信データが第三者の支援に基づいて伝送されるネットワーキングモードにおいて、ユーザ側装置の位置情報を含むサービス要求生成し、前記第三者に当該サービス要求を含む要求シグナルを送信し、前記第三者の当該要求シグナルに関する確認シグナルを受信し、前記第三者を介して前記確認シグナルを送信した他のユーザ側装置と通信を行う。
【００５１】
以下に図２を参照して本発明の実施例による通信システムにおけるネットワーク側装置のブロック図を説明する。
【００５２】
図２は、本発明の実施例による通信システムにおけるネットワーク側装置のブロック図を示した。図２に示されるように、本発明による通信システムにおけるネットワーク側装置２００は、アプリケーションモジュールを解析し、アプリケーションモジュールに適するネットワーキングモードに基づいて分類を行うように配置されるアプリケーションモジュール分類モジュール２１と、アプリケーションモジュールにタイプフィールドを追加し、前記タイプフィールドに分類結果を示すアプリケーションモジュールのアプリケーションタイプを含ませるように配置されるフィールド追加モジュール２２、とを備える。前記アプリケーションモジュールがユーザ側装置に用いられて他のユーザ側装置とネットワーキングを行い、異なるアプリケーションタイプが異なるネットワーキングモードに対応する。
【００５３】
通信システムにおけるネットワーク側装置は、サーバ、当該サーバ機能が実装される基地局、サーバにおける主な処理モジュール例えばチップなどを含むが、それに限定されない。
【００５４】
アプリケーションモジュール分類モジュール２１は、アプリケーションモジュールを解析し、アプリケーションモジュールに適するネットワーキングモードに基づいて分類を行う。上記のように、アプリケーションモジュールに適するネットワーキングモードは、アプリケーションモジュールのセキュリティニーズとやりとりデータ量ニーズなどの観点から考慮されたものである。
【００５５】
一つの実施例において、アプリケーションモジュール分類モジュール２１は、アプリケーションモジュールのセキュリティニーズを解析し、セキュリティニーズに基づいて当該アプリケーションモジュールに適するネットワーキングモードを確定して分類を行う。
【００５６】
好ましくは、セキュリティニーズの高低は、ユーザ認証が必要か否かによって決められても良い。ユーザ認証が必要であれば、セキュリティニーズが高い。ユーザ認証が必要でなければ、セキュリティニーズが低い。
【００５７】
一つの実施例において、アプリケーションモジュール分類モジュール２１は、アプリケーションモジュールのやりとりデータ量ニーズを解析し、やりとりデータ量ニーズに基づいて当該アプリケーションモジュールに適するネットワーキングモードを確定して分類を行う。
【００５８】
好ましくは、やりとりデータ量ニーズの高低は、やりとりのデータタイプとデータ量により決められても良い。例えば、やりとりデータがメディア情報で且つデータ量が１００Ｍ以上になると、やりとりデータ量ニーズが高い。やりとりデータが文字情報で且つ各文字情報に字数の制限があると、やりとりデータ量ニーズが低い。
【００５９】
フィールド追加モジュール２２は、ユーザ側装置がアプリケーションモジュールのタイプに基づいて好適なネットワーキングモードを選択できるように、アプリケーションモジュール分類モジュール２１の解析結果に基づいてアプリケーションモジュールにタイプフィールドを追加する。
【００６０】
ネットワーク側装置２００は、ユーザの登録を受けるユーザ登録ユニットを備えても良い。ユーザは、ユーザ登録によりシステムにおいて唯一のメインアイデンティティを取得する。前記の仮アイデンティティの登録は必須ではない。
【００６１】
図５の左側に示されたように、登録の手順は、以下のようなことを含む。まず、ユーザ側装置１００は、ネットワーク側装置２００にユーザ登録要求シグナルを送信する。当該ユーザ登録要求シグナルは、ユーザの基本情報、例えばユーザ名とパスワードなどを含むことができる。そして、ネットワーク側装置２００のユーザ登録ユニットは、ユーザの要求シグナルに基づいて登録を行い、ユーザ側装置１００のユーザに唯一のメインアイデンティティを割り当てる。好ましくは、更に基本のサービスとユーザ区間を割り当てる。当該段階にユーザが認証せずに登録だけ行うので、本発明の幾つかの例示において、基本のサービスとユーザ区間は何れも基本の配置であり、例えば、セキュリティ性の低いアプリケーションのリストだけ含まれる。最後に、ネットワーク側装置２００のユーザ登録ユニットは、ユーザ側装置１００にユーザ登録応答シグナルを送信し、ユーザに登録が成功するかを通知する。好ましくは、ユーザ登録応答シグナルは、基本のサービスのリストとユーザ区間のリンクなどを含む。
【００６２】
ユーザは、登録されたもとに、更にユーザ認証によりセキュリティレベルがより高いサービスを取得しても良い。例えばオフライン取引の緊急支援サービスに関する可能性がある。一つの実施例において、ネットワーク側装置２００は、ユーザアイデンティティ情報に基づいてユーザに対して認証を行い、前記ネットワーク側装置が認証されたユーザにセキュリティニーズの高いアプリケーションモジュールを提供するように配置されるユーザ認証ユニットを更に備える。ユーザアイデンティティ情報は、ユーザの実名のアイデンティティ情報、例えば氏名とアイデンティティ番号などを含むが、それに限定されない。
【００６３】
ユーザ認証の手順は、必ずユーザ登録が成功してシステムのユーザになった後に実行される。図５の右側に示されたように、ユーザ認証の手順は以下のようなことを含む。まず、登録ユーザは、認証要求としてネットワーク側装置２００にユーザ認証要求シグナルを送信する。当該ユーザ認証要求シグナルは、ユーザの実名アイデンティティ情報、例えば氏名とアイデンティティ番号などを含むが、それに限定されない。そして、ネットワーク側装置２００のユーザ認証ユニットは、ユーザ認証要求シグナルに基づいて認証処理を行い、ユーザ側装置１００のユーザにシステムアイデンティティ認証標識と高セキュリティサービスを割り当てる。最後に、ネットワーク側装置２００のユーザ認証ユニットは、ユーザ側装置１００にユーザ認証応答シグナルを送信して認証が成功するかを表す。
【００６４】
一つの実施例において、ネットワーク側装置２００は更に支援通信ユニットを備える。ユーザ側装置の間の通信データが第三者の支援に基づいて伝送されるネットワーキングモードにおいて、当該支援通信ユニットは、第一のユーザ側装置から送信される第一のユーザ側装置の位置情報を含むサービス要求を含む要求シグナルを受信し、当該サービス要求を含むブロードキャストシグナルをブロードキャストし、第二のユーザ側装置の前記ブロードキャストシグナルに対する確認シグナルを受信し、第一のユーザ側装置に確認シグナルを送信し、第一のユーザ側装置と第二のユーザ側装置との間の通信を協調するように配置される。
【００６５】
以下に図３を参照して本発明の実施例による無線通信方法の手順を説明する。
【００６６】
図３は、本発明の実施例による無線通信方法のフローチャートを示した。図３に示されたように、本発明による無線通信方法は、通信システムにおけるユーザ側装置のアプリケーションタイプ確定モジュールにより前記ユーザ側装置におけるアプリケーションモジュールのタイプフィールドに含まれるアプリケーションタイプ情報を取得して前記アプリケーションモジュールのアプリケーションタイプを確定し、異なるアプリケーションタイプが異なるネットワーキングモードに対応するステップ（ステップS３１）と、前記ユーザ側装置のネットワーキングモジュールにより、前記アプリケーションモジュールのアプリケーションタイプに対応するネットワーキングモードに基づいて、他のユーザ側装置との通信ネットワークを確立して前記アプリケーションモジュールを使用するステップ（ステップS３２）とを含む。
【００６７】
図４は、本発明の実施例による無線通信方法のフローチャートを示した。図４に示されたように、本発明による無線通信方法は、通信システムにおけるネットワーク側装置のアプリケーションモジュール分類モジュールにより、アプリケーションモジュールを解析し、アプリケーションモジュールに適するネットワーキングモードに基づいて分類を行うステップ（ステップS４１）と、前記ネットワーク側装置のフィールド追加モジュールにより、アプリケーションモジュールに対してタイプフィールドを追加し、前記タイプフィールドに分類結果を示すアプリケーションモジュールのアプリケーションタイプを含ませるステップ（ステップS４２）とを含み、前記アプリケーションモジュールがユーザ側装置に用いられて他のユーザ側装置とネットワーキングを行い、異なるアプリケーションタイプが異なるネットワーキングモードに対応する。
【００６８】
本発明による無線通信方法に含まれる各ステップにおける処理はそれぞれ上記に説明された通信システムにおけるユーザ側装置とネットワーク側装置に含まれる各装置及びユニットにおける処理と類似しているので、簡潔のためにこれら処理の詳細の説明が省略される。
【００６９】
以下に例をあげて二つのタイプのタイプフィールド情報に関する手順を説明する。
【００７０】
（１）第三者の支援に基づかずに伝送するネットワーキングモード。
【００７１】
例えば、複数のユーザは同一の交通手段で外出する時に互いに距離が近く、仮ネットワークを確立してゲームを行い、デジタル娯楽リソースなどを交換することを期待する。セキュリティレベルニーズが低くてデータ量に対するニーズが大きいので、第三者の支援による伝送が必要せずに、複数のユーザ自身により一つの仮ネットワークを確立してメンテナンスすることができる。このようなアプリケーションモジュールのタイプフィールドの情報は、第三者の支援に基づかずに伝送するネットワーキングモードを表す。
【００７２】
図６に示されたように、まず、ステップS６１において、ユーザ側装置１００は相応のサービス要求を生成する。当該サービス要求はユーザの好み情報、位置情報などを含むが、それに限定されない。ユーザの好み情報は、例えばアプリケーション名を含む。ユーザの位置情報は、例えば所在地、目的地、走行軌跡などを含む。
【００７３】
そして、ステップS６２において、ユーザ側装置１００は、仮アイデンティティを生成し又はロードするか否かを提示する。当該ステップは選択的なステップである。肯定的な選択であれば、ステップS６３により生成し又はロードする。メインアイデンティティの使用が期待されると、メインアイデンティティをロードする。既存の仮アイデンティティの使用が期待されると、既存の仮アイデンティティをロードする。新たな仮アイデンティティの使用が期待され、或いはもともと仮アイデンティティがない場合に仮アイデンティティの使用が期待されると、仮アイデンティティを生成する。否定的な選択であれば、当該ステップをスキップする。
【００７４】
続いて、ステップS６４において、ユーザ側装置１００はネットワーキングブロードキャストシグナルに対して監視し、送信し、応答する。具体的に、ユーザ側装置１００は、システムに予め決められたブロードキャストチャネルにおいてネットワーキングブロードキャストシグナルがあるか否かを監視する。ネットワーキングブロードキャストシグナルがないと、ステップS６６において、ユーザ側装置１００は、当該ブロードキャストチャネルにおいて自身のネットワーキングブロードキャストシグナルを送信する。ネットワーキングブロードキャストシグナルは当該ユーザのサービス要求を含む。ユーザ側装置１００によりネットワーキングブロードキャストシグナルが発見されると、ステップS６５において、発見されたネットワーキングブロードキャストシグナルにおけるサービス要求が自身のサービス要求と同じであるか否かを比較する。二つのサービス要求が同じであれば、ステップS６７において、ユーザ側装置１００は、ネットワーキング応答シグナルを送信する。二つのサービス要求が異なると、ユーザ側装置１００は自身のネットワーキングブロードキャストシグナルを送信する。他のユーザ側装置１００のネットワーキング応答シグナルを受信する前に、ユーザ側装置１００は周期的にブロードキャストチャネルにおいてネットワーキングブロードキャストシグナルを監視し、送信し、応答する前記ステップを実行する。他のユーザ側装置１００のネットワーキング応答シグナルを受信した後に、ステップS６９において、ユーザ側装置１００は以下のようにネットワークを確立する。
【００７５】
次に、ユーザ側装置１００はネットワークを確立する。ネットワーキングブロードキャストシグナルを起動するユーザ側装置１００は、ネットワークを確立することを負担し、プライマリユーザと呼ばれる。ネットワーキング応答シグナルを送信するユーザ側装置１００はセカンダリユーザと呼ばれる。プライマリユーザは、ランダムに一つの周波数帯域を選択してデータリンクを確立し、ネットワーク情報シグナルによりセカンダリユーザに通知し、両者は新たな周波数帯域においてデータリンクを確立する。プライマリユーザが既存の仮ネットワークに存在しなければ、プライマリユーザはセカンダリユーザと新たな仮ネットワークを確立する。プライマリユーザが既存の仮ネットワークに存在すれば、主ユーザは、セカンダリユーザを当該既存の仮ネットワークに追加する。この場合に、セカンダリユーザをプライマリユーザと接続させても良く、セカンダリユーザを既存の仮ネットワークのうちセカンダリユーザと物理的に最も近いセカンダリユーザと接続させても良く、セカンダリユーザを既存の仮ネットワークのうち受信信号が最も強いセカンダリユーザと接続させても良い。ネットワークのノードの接続関係は、当業者に柔軟的に設計されば良い。
【００７６】
そして、ステップS６１０において、プライマリユーザ（ユーザ側装置１００）はネットワークを運行しメンテナンスする。ネットワークが確立された後に、ネットワークにおける任意の二つのユーザ（ユーザ側装置１００）が直接的又は間接的に連続すべきので、例えばゲームのように通信を行ってアプリケーションに必要な情報やりとりを完成することができる。プライマリユーザ（ユーザ側装置１００）は続行して周期的にブロードキャストチャネルにおいてネットワーキングブロードキャストシグナルを送信し又は監視する。仮ネットワークは、運行とメンテナンスが一般的なネットワークの運行とメンテナンスの基準に従う。例えば、プライマリユーザを変更することができる。変更の基準は公平性及び／又はロバスト性に基づいても良い。公平性に基づくことは、例えばランダムの選択であり、ロバスト性に基づくことは、例えばプライマリユーザの変更が仮ネットワークの連結性に影響できない。また、ネットワークの正常の使用を確保するために、プライマリユーザがネットワークから退出する前に必ず新たなプライマリユーザを指定し且つ仮ネットワークの連結性が失わないようにし、セカンダリユーザがネットワークから退出する前に必ずセカンダリユーザの退出が仮ネットワークの連結性に影響しないように確保することを規定する。プライマリユーザの変更と退出は、全てのユーザにブロードキャストで通知する必要があり、セカンダリユーザの退出は、プライマリユーザに通知する必要がある。
【００７７】
（２）第三者の支援に基づいて伝送するネットワーキングモード。
【００７８】
例えば、ユーザ側装置１００のユーザは、走行の過程に事故にあった場合に道路支援が必要である。
【００７９】
図７に示されたように、まず、ユーザ側装置１００は相応のサービス要求を生成する。当該要求にユーザの求助内容、求助位置などを含むが、それに限定されない。
【００８０】
そして、 ユーザ側装置１００は、ネットワーク側装置２００に前記サービス要求を含む求助要求シグナルを送信する。
【００８１】
ユーザ側装置１００は、求助要求シグナルを送信した後に、ネットワーク側装置２００からの応答を監視する。予定時間帯内にネットワーク側装置２００からの応答が受信されていないと、ユーザ側装置１００は、求助要求シグナルをブロードキャストし、応答を監視する。
【００８２】
その一方、ネットワーク側装置２００は、求助要求シグナルを受信し、応答として求助要求確認シグナルを送信する。
【００８３】
ネットワーク側装置２００は、求助要求確認シグナルを送信した後に、受信した求助要求シグナルを解析し、求助者の認証情報と求助内容を求助シグナルとしてバッキングして求助位置の付近にブロードキャストする。又は、ネットワーク側装置２００は、求助要求確認シグナルを送信した後に、直接に求助要求シグナルを、前に走行線路をネットワーク側装置２００へ提供し且つ有効時間内に求助位置の付近を経由すべきユーザ側装置１００に送信する。
【００８４】
この場合に、他のユーザ側装置１００が求助シグナルを受信し且つ求助に所需のサービスを提供できる場合に、求助応答シグナルを返信する。求助応答シグナルは、求助確認、自身の認証情報などを含むが、それに限定されない。その後、当該他のユーザ側装置１００（援助者）は監視段階に転換される。援助者がネットワーク側装置２００から求助シグナルを受信すると、援助者はネットワーク側装置２００に求助応答シグナルを送信し、ネットワーク側装置２００は求助者へ求助応答シグナルを転送する。援助者が求助者からのブロードキャストから求助シグナルを受信すると、援助者は受信した求助シグナルをブロードキャスト、求助者は監視段階において直接に当該求助確認シグナルを取得する。
【００８５】
その後、求助者は、ネットワーク側装置２００から求助確認シグナルを受信し且つ援助者の援助を希望すると、被助確認シグナルをネットワーク側装置２００へ送信する。ネットワーク側装置２００は、求助者と援助者の間に通信リンクを確立し、双方に通知することにより、双方が通信を行って援助の実施を協調することができる。求助者は援助者から直接に求助確認シグナルを受信し且つ援助者の援助を希望すると、通信リンク要求を援助者へ送信した後に、双方は通信を行って援助の実施を協調することができる。
【００８６】
以上の例示は具体のアプリケーションの例に過ぎない。本発明はそれに限定されない。
【００８７】
また、上記のようにセキュリティニーズとデータ量ニーズに従ってネットワーキングモードを分類することに加えて、アプリケーションモジュールが無料か否かによってネットワーキングモードを分類しても良い。例えば無料のアプリケーションモジュールはユーザ側装置の間の通信データが第三者の支援に基づかずに伝送されるネットワーキングモードに対応し、有料のアプリケーションモジュールはユーザ側装置の間の通信データが第三者の支援に基づいて伝送されるネットワーキングモードに対応する。第三者の支援に基づいて伝送するネットワーキングモードのネットワーキングは成功率が高いが、サーバ計算リソース及びネットワークリソースを消費する必要があるため、このようなネットワーキングモードを有料のアプリケーションモジュールに対応させることが好適である。
【００８８】
また、注意すべきなのは、前記デバイスにおける各構成装置、ユニットは、ソフトウェア、ファームウェア、ハードウェア又はそれらの組み合わせにより構成されてもよい。構成の使用可能な具体的な手段又は方法は当業者に良く知られるため、ここでは詳しく説明しない。ソフトウェア又はファームウェアにより実現される場合は、記憶媒体又はネットワークから当該ソフトウェアを構成するプログラムを専用ハードウェア構造を有するコンピュータ（例えば、図８に示す汎用コンピュータ５００）にインストールする。このコンピュータは各種のプログラムをインストールした後、各種の機能等を実行できる。
【００８９】
図８は、本発明の実施例による方法と装置を実施できるコンピュータのブロック図を示した。
【００９０】
図８では、演算処理ユニット（ＣＰＵ）５０１は、読取専用記憶媒体（ＲＯＭ）５０２に記憶されるプログラム又は記憶部５０８からランダムアクセスメモリ（ＲＡＭ）５０３にローディングするプログラムにより各種の処理を実行する。ＲＡＭ５０３は、必要に応じてＣＰＵ５０１が各種の処理を実行する場合に必要なデータをも記憶する。ＣＰＵ５０１、ＲＯＭ５０２及びＲＡＭ５０３はバス５０４を介して互いに接続される。入力／出力インタフェース５０５もバス５０４に接続される。
【００９１】
入力部５０６（キーボード、マウス等を含む）、出力部５０７（例えば、陰極線管（ＣＲＴ）、液晶ディスプレイ（ＬＣＤ）等のディスプレイ、スピーカー等を含む）、記憶部５０８（ハードウェア等を含む）、通信部５０９（ネットワークインタフェースカード、例えば、ＬＡＮカード、モデム等を含む）は、入力／出力インタフェース５０５に接続される。通信部分５０９は、ネットワーク、例えば、インターネットを介して通信処理を実行する。駆動装置５１０は必要に応じて入力／出力インタフェース５０５に接続されてもよい。リムーバブルメディア５１１、例えば、磁気ディスク、光ディスク、光磁気ディスク、半導体記憶装置等は、必要に応じて駆動装置５１０に実装され、これにより、それから読み出されるコンピュータプログラムは必要に応じて記憶部５０８にインストールされる。
【００９２】
ソフトウェアにより上記一連の処理を実現する場合、ネットワーク、例えば、インターネット、或いは、記憶媒体、例えば、リムーバブルメディア５１１からソフトウェアを構成するプログラムをインストールする。
【００９３】
当業者であればわかるように、このような記憶媒体は、図８に示すプログラムが記憶され、ユーザにプログラムを提供するように装置から分離して配信するリムーバブルメディア５１１に限らない。リムーバブルメディア５１１は、例えば、磁気ディスク（フロッピーディスク（登録商標）を含む）、光ディスク（光ディスク読取専用記憶媒体（ＣＤ-ＲＯＭ）及びデジタル多用途ディスク（ＤＶＤ））、光磁気ディスク（ミニディスク（ＭＤ）（登録商標）を含む）及び半導体記憶装置を含む。或いは、記憶媒体は、ＲＯＭ５０２、記憶部５０８に含まれるハードディスク等であってもよく、プログラムを記憶しており、それらを含む装置とともにユーザに配信される。
【００９４】
本発明は、更に、機器読み取り可能な指令コードが記憶されたプログラム製品を提出する。上記指令コードが機器に読み取られ実行される場合に、上記の本開示の実施例に基づく方法を実行できる。
【００９５】
対応するように、上記の機器読み取り可能な指令コードが記憶されたプログラム製品がロードされた記憶媒体も本開示の開示に含まれる。上記記憶媒体はフロッピーディスク、光ディスク、光磁気ディスク、メモリカード、メモリスティックなどを含むがこれに限定されない。
【００９６】
以上で、本開示の具体的実施例の記述において、一種の実施形態に対して記述及び／又は示した特徴は、同じ又は類似する方式で一つ又は複数の他の実施形態に使用され、他の実施形態における特徴と組合せ、又は他の実施形態における特徴を取り替えることが可能である。
【００９７】
強調すべきことは、用語「包括／含む」を本文で使用する際は、特徴、要素、ステップ或いはモジュールの存在を指し、一つ或いは複数の他の特徴、要素、ステップ或いはモジュールの存在或いは付加を排除しない。
【００９８】
また、本開示の方法は、明細書で記述した時間順序で実行されることに限定されず、他の時間順序で、並行或いは独立に実行されてもよい。よって、本明細書で記述の方法の実行順序は本開示の技術範囲を限定しない。
【００９９】
以上で、本開示の具体的実施例の記述によって本開示を説明したが、理解すべきことは、上記の実施例と例示は何れも例示的なものであり、制限をかけるものではない。当業者は、請求項の精神と範囲内で本開示に対する各種の修正、改善、或いは均等物を設計できる。これらの修正、改善、或いは均等物も本開示の保護範囲に含まれると見なすべきである。
【図１】
0006575589.tif 000002
【図２】
0006575589.tif 000003
【図３】
0006575589.tif 000004
【図４】
0006575589.tif 000005
【図５】
0006575589.tif 000006
【図６】
0006575589.tif 000007
【図７】
0006575589.tif 000008
【図８】
0006575589.tif 000009